(57)【要約】【課題】親画面に表示される映像の主要部を遮ることなく子画面を表示する。【解決手段】デジタル放送受信機のＭＰＵ１１は、第１受信部１５Ａによって受信された１のテレビジョン放送に対応する映像である第１映像を親画面として第１領域に表示すると共に、第２受信部１５Ｂによって受信された他のテレビジョン放送に対応する映像である第２映像を子画面として第２領域に表示する映像表示部１１１と、１のテレビジョン放送に対応する字幕を表示する領域である第３領域を規定する字幕座標情報を取得する字幕位置取得部１１２と、字幕を表示しない旨の設定がされている場合に、第２領域の中心位置を第３領域の中心位置と略一致させるべく第２領域の位置を変更する位置変更部１１５と、を備え、映像表示部１１１が、変更された子画面位置に第２映像を表示する。【選択図】図２
2008193277.tif 000002
【特許請求の範囲】
【請求項１】
１のテレビジョン放送を受信する第１受信手段と、
他のテレビジョン放送を受信する第２受信手段と、
前記第１受信手段によって受信された１のテレビジョン放送に対応する映像である第１映像を親画面としてモニタの予め設定された第１領域に表示すると共に、前記第２受信手段によって受信された他のテレビジョン放送に対応する映像である第２映像を子画面としてモニタの前記第１領域内に予め設定された第２領域に表示する映像表示手段と、
前記第１受信手段を介して、前記第１領域内に予め設定され、１のテレビジョン放送に対応する字幕を表示する領域である第３領域の位置及び大きさを規定する字幕座標情報を取得する字幕位置取得手段と、
１のテレビジョン放送に対応する字幕を表示するか否かを設定する字幕表示設定手段と、
前記字幕表示設定手段によって字幕を表示しない旨の設定がされている場合に、前記第２領域の中心位置を、前記字幕位置取得手段によって取得された第３領域の中心位置と略一致させるべく前記第２領域の位置を変更し、変更後の第２領域の位置を規定する子画面座標情報を生成する位置変更手段と、
前記字幕位置取得手段によって取得された字幕座標情報が複数であるか否かを判定する字幕数判定手段と、
前記位置変更手段によって生成された子画面座標情報に対応する変更後の第２領域が前記第１領域内に表示されるか否かを判定する位置判定手段と、
前記位置判定手段によって前記第１領域内に表示されないと判定された場合に、変更後の第２領域を前記第１領域内に表示するべく変更後の第２領域の子画面座標情報を修正し、修正後の子画面座標情報を生成する位置修正手段と、
を備え、
前記位置変更手段は、前記字幕数判定手段によって取得された字幕座標情報が複数であると判定された場合に、取得された複数の字幕座標情報の内、字幕領域の面積が最大である字幕座標情報を選定し、選定された字幕座標情報に対応する字幕領域の中心位置と略一致させるべく前記第２領域の位置を変更し、変更後の第２領域の位置を規定する子画面座標情報を生成し、
前記映像表示手段は、前記位置判定手段によって前記第１領域内に表示されると判定された場合に、前記位置変更手段によって生成された子画面座標情報に基づいて、前記第２映像をモニタに表示し、前記位置判定手段によって前記第１領域内に表示されないと判定された場合に、前記位置修正手段によって生成された修正後の子画面座標情報に基づいて、前記第２映像をモニタに表示することを特徴とする放送受信装置。
【請求項２】
１のテレビジョン放送を受信する第１受信手段と、
他のテレビジョン放送を受信する第２受信手段と、
前記第１受信手段によって受信された１のテレビジョン放送に対応する映像である第１映像を親画面としてモニタの予め設定された第１領域に表示すると共に、前記第２受信手段によって受信された他のテレビジョン放送に対応する映像である第２映像を子画面としてモニタの前記第１領域内に予め設定された第２領域に表示する映像表示手段と、
前記第１受信手段を介して、前記第１領域内に予め設定され、１のテレビジョン放送に対応する字幕を表示する領域である第３領域の位置及び大きさを規定する字幕座標情報を取得する字幕位置取得手段と、
１のテレビジョン放送に対応する字幕を表示するか否かを設定する字幕表示設定手段と、
前記字幕表示設定手段によって字幕を表示しない旨の設定がされている場合に、前記第２領域の中心位置を、前記字幕位置取得手段によって取得された第３領域の中心位置と略一致させるべく前記第２領域の位置を変更し、変更後の第２領域の位置を規定する子画面座標情報を生成する位置変更手段と、
を備え、
前記映像表示手段は、前記位置変更手段によって生成された子画面座標情報に基づいて、前記第２映像をモニタに表示することを特徴とする放送受信装置。
【請求項３】
前記字幕位置取得手段によって取得された字幕座標情報が複数であるか否かを判定する字幕数判定手段を備え、
前記位置変更手段は、前記字幕数判定手段によって取得された字幕座標情報が複数であると判定された場合に、取得された複数の字幕座標情報の内、字幕領域の面積が最大である字幕座標情報を選定し、選定された字幕座標情報に対応する字幕領域の中心位置と略一致させるべく前記第２領域の位置を変更し、変更後の第２領域の位置を規定する子画面座標情報を生成することを特徴とする請求項２に記載の放送受信装置。
【請求項４】
前記字幕位置取得手段によって取得された字幕座標情報が複数であるか否かを判定する字幕数判定手段を備え、
前記位置変更手段は、前記字幕数判定手段によって取得された字幕座標情報が複数であると判定された場合に、取得された複数の字幕座標情報の内、変更前の第２領域の中心位置と字幕座標情報に対応する字幕領域の中心位置との距離が最小の字幕座標情報を選定し、選定された字幕座標情報に対応する字幕領域の中心位置と略一致させるべく前記第２領域の位置を変更し、変更後の第２領域の位置を規定する子画面座標情報を生成することを特徴とする請求項２に記載の放送受信装置。
【請求項５】
前記位置変更手段によって生成された子画面座標情報に対応する変更後の第２領域が前記第１領域内に表示されるか否かを判定する位置判定手段と、
前記位置判定手段によって前記第１領域内に表示されないと判定された場合に、変更後の第２領域を前記第１領域内に表示するべく変更後の第２領域の子画面座標情報を修正し、修正後の子画面座標情報を生成する位置修正手段と、
を備え、
前記映像表示手段は、前記位置判定手段によって前記第１領域内に表示されないと判定された場合に、前記位置変更手段によって生成された子画面座標情報に換えて、前記位置修正手段によって生成された修正後の子画面座標情報に基づいて、前記第２映像をモニタに表示することを特徴とする請求項２〜請求項４のいずれかに記載の放送受信装置。
【発明の詳細な説明】
【技術分野】
【０００１】
本発明は、テレビジョン放送を受信し、外部から視認可能にモニタに出力可能に構成された放送受信装置に関する。特に、１のテレビジョン放送を受信する第１受信手段と、他のテレビジョン放送を受信する第２受信手段と、前記第１受信手段によって受信された１のテレビジョン放送に対応する映像である第１映像を親画面としてモニタに表示すると共に、前記第２受信手段によって受信された他のテレビジョン放送に対応する映像である第２映像を子画面としてモニタに表示する映像表示手段と、を備える放送受信装置に関する。
【背景技術】
【０００２】
近年、デジタル放送の普及に伴い、テレビジョン放送の多チャンネル化が進んでいる。この様な多チャンネル化に伴い、放送受信装置に配設された１のモニタに複数番組の映像を同時に表示するマルチ画面表示技術が提案されている。すなわち、表示画面を複数の領域に分割し、複数の番組映像を同時に出力することができる、いわゆる、ピクチャーインピクチャー（ＰｉｎＰ）、又は、ピクチャーアウトピクチャー（ＰｏｕｔＰ）等の機能を備えた受放送信装置が知られている。
【０００３】
例えば、ユーザによって選択されたチャンネルが含まれる物理チャンネルに複数のサブチャンネルが存在する場合に、ユーザによって選択されたチャンネルが含まれる物理チャンネルを第１のチューナに受信させると共に、ユーザによって選択されたチャンネルの前又は後のチャンネルを第２のチューナに受信させ、ユーザによって選択されたチャンネルの映像信号、及び、ユーザによって選択されたチャンネルの前後のチャンネルの映像信号を抽出し、ユーザによって選択されたチャンネルの映像信号を親画面として出力すると共に、ユーザによって選択されたチャンネルの前後のチャンネルの映像信号を子画面として出力するデジタルＴＶ放送信号受信装置が開示されている（特許文献１参照）。
【特許文献１】特開２００６−６７２０５号公報
【発明の開示】
【発明が解決しようとする課題】
【０００４】
しかしながら、上記デジタルＴＶ放送信号受信装置では、ピクチャーインピクチャー（ＰｉｎＰ）の形態で親画面と子画面とを表示する場合に、親画面に表示される映像の主要部が子画面によって遮られることがある。すなわち、ピクチャーインピクチャー（ＰｉｎＰ）の形態で親画面と子画面とを表示する場合には、子画面は親画面の一部の領域に表示されるため、子画面の表示される領域内に親画面の映像の主要部が表示されると、親画面に表示される映像の主要部が子画面によって遮られることになるのである。
【０００５】
本発明は、上記課題に鑑みてなされたものであって、親画面に表示される映像の主要部を遮ることなく子画面を表示することの可能な放送受信装置を提供することを目的としている。
【課題を解決するための手段】
【０００６】
上記目的を達成するために請求項１に記載の放送受信装置は、１のテレビジョン放送を受信する第１受信手段と、他のテレビジョン放送を受信する第２受信手段と、前記第１受信手段によって受信された１のテレビジョン放送に対応する映像である第１映像を親画面としてモニタの予め設定された第１領域に表示すると共に、前記第２受信手段によって受信された他のテレビジョン放送に対応する映像である第２映像を子画面としてモニタの前記第１領域内に予め設定された第２領域に表示する映像表示手段と、前記第１受信手段を介して、前記第１領域内に予め設定され、１のテレビジョン放送に対応する字幕を表示する領域である第３領域の位置及び大きさを規定する字幕座標情報を取得する字幕位置取得手段と、１のテレビジョン放送に対応する字幕を表示するか否かを設定する字幕表示設定手段と、前記字幕表示設定手段によって字幕を表示しない旨の設定がされている場合に、前記第２領域の中心位置を、前記字幕位置取得手段によって取得された第３領域の中心位置と略一致させるべく前記第２領域の位置を変更し、変更後の第２領域の位置を規定する子画面座標情報を生成する位置変更手段と、前記字幕位置取得手段によって取得された字幕座標情報が複数であるか否かを判定する字幕数判定手段と、前記位置変更手段によって生成された子画面座標情報に対応する変更後の第２領域が前記第１領域内に表示されるか否かを判定する位置判定手段と、前記位置判定手段によって前記第１領域内に表示されないと判定された場合に、変更後の第２領域を前記第１領域内に表示するべく変更後の第２領域の子画面座標情報を修正し、修正後の子画面座標情報を生成する位置修正手段と、を備え、前記位置変更手段が、前記字幕数判定手段によって取得された字幕座標情報が複数であると判定された場合に、取得された複数の字幕座標情報の内、字幕領域の面積が最大である字幕座標情報を選定し、選定された字幕座標情報に対応する字幕領域の中心位置と略一致させるべく前記第２領域の位置を変更し、変更後の第２領域の位置を規定する子画面座標情報を生成し、前記映像表示手段が、前記位置判定手段によって前記第１領域内に表示されると判定された場合に、前記位置変更手段によって生成された子画面座標情報に基づいて、前記第２映像をモニタに表示し、前記位置判定手段によって前記第１領域内に表示されないと判定された場合に、前記位置修正手段によって生成された修正後の子画面座標情報に基づいて、前記第２映像をモニタに表示することを特徴としている。
【０００７】
請求項２に記載の放送受信装置は、１のテレビジョン放送を受信する第１受信手段と、他のテレビジョン放送を受信する第２受信手段と、前記第１受信手段によって受信された１のテレビジョン放送に対応する映像である第１映像を親画面としてモニタの予め設定された第１領域に表示すると共に、前記第２受信手段によって受信された他のテレビジョン放送に対応する映像である第２映像を子画面としてモニタの前記第１領域内に予め設定された第２領域に表示する映像表示手段と、前記第１受信手段を介して、前記第１領域内に予め設定され、１のテレビジョン放送に対応する字幕を表示する領域である第３領域の位置及び大きさを規定する字幕座標情報を取得する字幕位置取得手段と、１のテレビジョン放送に対応する字幕を表示するか否かを設定する字幕表示設定手段と、前記字幕表示設定手段によって字幕を表示しない旨の設定がされている場合に、前記第２領域の中心位置を、前記字幕位置取得手段によって取得された第３領域の中心位置と略一致させるべく前記第２領域の位置を変更し、変更後の第２領域の位置を規定する子画面座標情報を生成する位置変更手段と、を備え、前記映像表示手段が、前記位置変更手段によって生成された子画面座標情報に基づいて、前記第２映像をモニタに表示することを特徴としている。
【０００８】
請求項３に記載の放送受信装置は、請求項２に記載の放送受信装置であって、前記字幕位置取得手段によって取得された字幕座標情報が複数であるか否かを判定する字幕数判定手段を備え、前記位置変更手段が、前記字幕数判定手段によって取得された字幕座標情報が複数であると判定された場合に、取得された複数の字幕座標情報の内、字幕領域の面積が最大である字幕座標情報を選定し、選定された字幕座標情報に対応する字幕領域の中心位置と略一致させるべく前記第２領域の位置を変更し、変更後の第２領域の位置を規定する子画面座標情報を生成することを特徴としている。
【０００９】
請求項４に記載の放送受信装置は、請求項２に記載の放送受信装置であって、前記字幕位置取得手段によって取得された字幕座標情報が複数であるか否かを判定する字幕数判定手段を備え、前記位置変更手段が、前記字幕数判定手段によって取得された字幕座標情報が複数であると判定された場合に、取得された複数の字幕座標情報の内、変更前の第２領域の中心位置と字幕座標情報に対応する字幕領域の中心位置との距離が最小の字幕座標情報を選定し、選定された字幕座標情報に対応する字幕領域の中心位置と略一致させるべく前記第２領域の位置を変更し、変更後の第２領域の位置を規定する子画面座標情報を生成することを特徴としている。
【００１０】
請求項５に記載の放送受信装置は、請求項２〜請求項４のいずれかに記載の放送受信装置であって、前記位置変更手段によって生成された子画面座標情報に対応する変更後の第２領域が前記第１領域内に表示されるか否かを判定する位置判定手段と、前記位置判定手段によって前記第１領域内に表示されないと判定された場合に、変更後の第２領域を前記第１領域内に表示するべく変更後の第２領域の子画面座標情報を修正し、修正後の子画面座標情報を生成する位置修正手段と、を備え、前記映像表示手段が、前記位置判定手段によって前記第１領域内に表示されないと判定された場合に、前記位置変更手段によって生成された子画面座標情報に換えて、前記位置修正手段によって生成された修正後の子画面座標情報に基づいて、前記第２映像をモニタに表示することを特徴としている。
【発明の効果】
【００１１】
請求項１に記載の放送受信装置によれば、受信された１のテレビジョン放送に対応する映像である第１映像が親画面としてモニタの予め設定された第１領域に表示されると共に、受信された他のテレビジョン放送に対応する映像である第２映像が子画面としてモニタの第１領域内に予め設定された第２領域に表示される。また、第１領域内に予め設定され、１のテレビジョン放送に対応する字幕を表示する領域である第３領域の位置及び大きさを規定する字幕座標情報が取得され、１のテレビジョン放送に対応する字幕を表示するか否かが設定される。そして、字幕を表示しない旨の設定がされている場合に、第２領域の中心位置を、第３領域の中心位置と略一致させるべく第２領域の位置が変更され、変更後の第２領域の位置を規定する子画面座標情報が生成される。更に、生成された子画面座標情報に基づいて、第２映像がモニタに表示されるため、親画面に表示される映像の主要部を遮ることなく子画面を表示することができる。
【００１２】
すなわち、子画面の表示領域である第２領域の位置が字幕を表示する領域である第３領域の中心位置と略一致させるべく変更されるため、字幕の表示位置（＝親画面内における第３領域の位置）は親画面に表示される映像の主要部を遮ることのない位置に設定されるので、親画面に表示される映像の主要部を遮ることなく子画面を表示することができるのである。
【００１３】
また、取得された字幕座標情報が複数であるか否かが判定され、取得された字幕座標情報が複数であると判定された場合に、取得された複数の字幕座標情報の内、字幕領域の面積が最大である字幕座標情報が選定される。そして、選定された字幕座標情報に対応する字幕領域の中心位置と略一致させるべく第２領域の位置が変更され、変更後の第２領域の位置を規定する子画面座標情報が生成されるため、取得された字幕座標情報が複数である場合に、適正な位置に子画面を表示することができる。
【００１４】
すなわち、字幕領域の面積が最大である字幕座標情報に対応する字幕領域の中心位置と略一致させるべく子画面の表示領域である第２領域の位置が変更されるため、取得された字幕座標情報が複数である場合に、適正な位置に子画面を表示することができるのである。
【００１５】
更に、生成された子画面座標情報に対応する変更後の第２領域が第１領域内に表示されるか否かが判定され、第１領域内に表示されないと判定された場合に、変更後の第２領域を第１領域内に表示するべく変更後の第２領域の子画面座標情報が修正され、修正後の子画面座標情報が生成される。そして、生成された修正後の子画面座標情報に基づいて、第２映像がモニタに表示されるため、更に適正な位置に子画面を表示することができる。
【００１６】
すなわち、変更後の第２領域が第１領域内に表示されないと判定された場合に、変更後の第２領域を第１領域内に表示するべく変更後の第２領域の子画面座標情報が修正されて修正後の子画面座標情報が生成され、生成された修正後の子画面座標情報に基づいて、第２映像がモニタに表示されるため、子画面の表示領域である第２領域が第１領域内に表示するべく修正されるので、更に適正な位置に子画面を表示することができるのである。
【００１７】
請求項２に記載の放送受信装置によれば、受信された１のテレビジョン放送に対応する映像である第１映像が親画面としてモニタの予め設定された第１領域に表示されると共に、受信された他のテレビジョン放送に対応する映像である第２映像が子画面としてモニタの第１領域内に予め設定された第２領域に表示される。また、第１領域内に予め設定され、１のテレビジョン放送に対応する字幕を表示する領域である第３領域の位置及び大きさを規定する字幕座標情報が取得され、１のテレビジョン放送に対応する字幕を表示するか否かが設定される。そして、字幕を表示しない旨の設定がされている場合に、第２領域の中心位置を、第３領域の中心位置と略一致させるべく第２領域の位置が変更され、変更後の第２領域の位置を規定する子画面座標情報が生成される。更に、生成された子画面座標情報に基づいて、第２映像がモニタに表示されるため、親画面に表示される映像の主要部を遮ることなく子画面を表示することができる。
【００１８】
すなわち、子画面の表示領域である第２領域の位置が字幕を表示する領域である第３領域の中心位置と略一致させるべく変更されるため、字幕の表示位置（＝親画面内における第３領域の位置）は親画面に表示される映像の主要部を遮ることのない位置に設定されるので、親画面に表示される映像の主要部を遮ることなく子画面を表示することができるのである。
【００１９】
請求項３に記載の放送受信装置によれば、取得された字幕座標情報が複数であるか否かが判定され、取得された字幕座標情報が複数であると判定された場合に、取得された複数の字幕座標情報の内、字幕領域の面積が最大である字幕座標情報が選定される。そして、選定された字幕座標情報に対応する字幕領域の中心位置と略一致させるべく第２領域の位置が変更され、変更後の第２領域の位置を規定する子画面座標情報が生成されるため、取得された字幕座標情報が複数である場合に、適正な位置に子画面を表示することができる。
【００２０】
すなわち、字幕領域の面積が最大である字幕座標情報に対応する字幕領域の中心位置と略一致させるべく子画面の表示領域である第２領域の位置が変更されるため、取得された字幕座標情報が複数である場合に、適正な位置に子画面を表示することができるのである。
【００２１】
請求項４に記載の放送受信装置によれば、取得された字幕座標情報が複数であるか否かが判定され、取得された字幕座標情報が複数であると判定された場合に、取得された複数の字幕座標情報の内、変更前の第２領域の中心位置と字幕座標情報に対応する字幕領域の中心位置との距離が最小の字幕座標情報が選定される。そして、選定された字幕座標情報に対応する字幕領域の中心位置と略一致させるべく第２領域の位置が変更され、変更後の第２領域の位置を規定する子画面座標情報が生成されるため、取得された字幕座標情報が複数である場合に、適正な位置に子画面を表示することができる。
【００２２】
すなわち、変更前の子画面の表示領域である第２領域の中心位置と字幕座標情報に対応する字幕領域の中心位置との距離が最小の字幕座標情報に対応する字幕領域の中心位置と略一致させるべく子画面の表示領域である第２領域の位置が変更されるため、子画面の表示領域である第２領域の位置の移動する距離が最小となるので、取得された字幕座標情報が複数である場合に、適正な位置に子画面を表示することができるのである。
【００２３】
請求項５に記載の放送受信装置によれば、生成された子画面座標情報に対応する変更後の第２領域が第１領域内に表示されるか否かが判定され、第１領域内に表示されないと判定された場合に、変更後の第２領域を第１領域内に表示するべく変更後の第２領域の子画面座標情報が修正され、修正後の子画面座標情報が生成される。そして、生成された修正後の子画面座標情報に基づいて、第２映像がモニタに表示されるため、更に適正な位置に子画面を表示することができる。
【００２４】
すなわち、変更後の第２領域が第１領域内に表示されないと判定された場合に、変更後の第２領域を第１領域内に表示するべく変更後の第２領域の子画面座標情報が修正されて修正後の子画面座標情報が生成され、生成された修正後の子画面座標情報に基づいて、第２映像がモニタに表示されるため、子画面の表示領域である第２領域が第１領域内に表示するべく修正されるので、更に適正な位置に子画面を表示することができるのである。
【発明を実施するための最良の形態】
【００２５】
以下に本発明の実施形態を、図面を参照しながら説明する。図１は、本発明に係るデジタル放送受信機の構成の一例を示すブロック図である。デジタル放送受信機１（放送受信装置に相当する）は、テレビジョン放送を受信し、後述するディスプレイ１８３及びスピーカ１６３に出力するものであって、ＭＰＵ１１、ＲＡＭ１２、ＲＯＭ１３、操作部１４、受信部１５、音声出力部１６、ＭＰＥＧ２デコード部１７、画像出力部１８、及び、画像合成部１９を備えている。
【００２６】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２７】
操作部１４（字幕表示設定手段の一部に相当する）は、電源のＯＮ、ＯＦＦ操作、選局等の各種操作を受け付けるものである。受信部１５は、テレビジョン放送を受信して復調するものであって、１のテレビジョン放送を受信する第１受信部１５Ａ（第１受信手段に相当する）と、他のテレビジョン放送を受信する第２受信部１５Ｂ（第２受信手段に相当する）と、を備えている。第１受信部１５Ａと第２受信部１５Ｂとは、略同一の構成を有するため、以下の説明においては、特に必要な場合を除いて、両者を区別することなく受信部１５と総称する。受信部１５は、アンテナ部１５１、チューナ部１５２、Ａ／Ｄ変換部１５３、復調部１５４、及び、ＴＳデマルチプレクサ１５５を備えている。
【００２８】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２９】
音声出力部１６は、受信部１５によって受信された１のテレビジョン放送（又は他のテレビジョン放送）に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００３０】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３１】
画像出力部１８は、ＭＰＥＧ２デコード部１７によって復号化された映像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する映像を表示するものである。
【００３２】
画像合成部１９（映像表示手段の一部に相当する）は、第１受信部１５Ａによって受信された１のテレビジョン放送に対応する映像である第１映像を親画面としてディスプレイ１８３に表示すると共に、第２受信部１５Ｂによって受信された他のテレビジョン放送に対応する映像である第２映像を子画面としてディスプレイ１８３に表示するべく、画像合成処理を行うものである。すなわち、画像合成部１９は、第１受信部１５Ａによって受信された１のテレビジョン放送に対応する映像である第１映像をディスプレイ１８３の表示領域全体（第１領域に相当する）に表示する親画面とし、第２受信部１５Ｂによって受信された他のテレビジョン放送に対応する映像である第２映像を親画面の一部分の領域（第２領域に相当する）に（例えば、親画面の右下部に）表示する子画面として合成して、合成画像を生成するものである（図３参照）。また、画像合成部１９は、ＭＰＵ１１（後述する字幕表示設定部１１４）によって字幕を表示する旨の設定がされている場合には、第１映像と第２映像とが合成された合成画像に、第１受信部１５Ａによって受信された１のテレビジョン放送に対応する字幕を描画するものである（図３参照）。
【００３３】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３４】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、字幕情報、制御情報等からなり、これらの情報がＴＳデマルチプレクサ１５５によって、分離して出力され、ＲＡＭ１２に格納される。そして、ＲＡＭ１２から読み出された１のテレビジョン放送（又は他のテレビジョン放送）に対応する音声情報がＤ／Ａ変換部１６１によってアナログ信号に変換され、音声信号出力部１６２を介してスピーカ１６３から音声が出力される。
【００３５】
また、ＲＡＭ１２から読み出された１のテレビジョン放送及び他のテレビジョン放送に対応する映像情報がＭＰＥＧ２デコード部１７によって圧縮前の映像情報に復号化され、画像合成部１９によって画像合成されて合成画像が生成された後、ＮＴＳＣエンコード部１８１によってＮＴＳＣ方式のテレビジョン信号に変換されて、映像信号出力部１８２を介してディスプレイ１８３に映像（＝１のテレビジョン放送及び他のテレビジョン放送に対応する映像情報がそれぞれ親画面及び子画面として合成された合成映像）が表示され、更に、ＭＰＵ１１（後述する字幕表示設定部１１４）によって字幕を表示する旨の設定がされている場合には、１のテレビジョン放送に対応する字幕が表示される。
【００３６】
図２は、本発明に係るデジタル放送受信機１における主要部の構成の一例を示すブロック図である。ＭＰＵ１１は、機能的に、映像表示部１１１、字幕位置取得部１１２、字幕数判定部１１３、字幕表示設定部１１４、位置変更部１１５、位置判定部１１６、及び、位置修正部１１７を備えている。
【００３７】
ここでは、ＭＰＵ１１が、図１に示すＲＯＭ１３等に予め格納された制御プログラムを読み出して実行することにより、映像表示部１１１、字幕位置取得部１１２、字幕数判定部１１３、字幕表示設定部１１４、位置変更部１１５、位置判定部１１６、位置修正部１１７等の機能部として機能するものである。
【００３８】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３９】
映像表示部１１１（映像表示手段の一部に相当する）は、画像合成部１９を介して、第１受信部１５Ａによって受信された１のテレビジョン放送に対応する映像である第１映像を親画面としてディスプレイ１８３の予め設定された第１領域（ここでは、ディスプレイ１８３の表示領域全体）に表示すると共に、第２受信部１５Ｂによって受信された他のテレビジョン放送に対応する映像である第２映像を子画面としてディスプレイ１８３の第１領域内に予め設定された第２領域（ここでは、親画面の右部の領域）に表示するものである。
【００４０】
また、映像表示部１１１は、位置判定部１１６によって第２領域が第１領域内に表示されると判定された場合に、位置変更部１１５によって生成された子画面座標情報に基づいて、第２映像をディスプレイ１８３に表示し、位置判定部１１６によって第２領域が第１領域内に表示されないと判定された場合に、位置修正部１１７によって生成された修正後の子画面座標情報に基づいて、第２映像をディスプレイ１８３に表示するものである。
【００４１】
すなわち、位置判定部１１６によって変更後の第２領域が第１領域内に表示されると判定された場合に、位置変更部１１５によって表示位置が変更された変更後の第２領域に第２映像を表示し、位置判定部１１６によって変更後の第２領域が第１領域内に表示されないと判定された場合に、位置修正部１１７によって変更後の第２領域の表示位置が修正された修正後の第２領域に第２映像を表示するものである。
【００４２】
字幕位置取得部１１２（字幕位置取得手段に相当する）は、第１受信部１５Ａを介して、第１領域内に予め設定され、１のテレビジョン放送に対応する字幕を表示する領域である第３領域の位置及び大きさを規定する字幕座標情報を取得するものである。
【００４３】
字幕数判定部１１３（字幕数判定手段に相当する）は、字幕位置取得部１１２によって取得された字幕座標情報が複数であるか否かを判定するものである。すなわち、字幕数判定部１１３は、字幕位置取得部１１２によって取得された字幕座標情報が、複数の位置に字幕を表示する旨の字幕座標情報であるか否かを判定するものである。
【００４４】
字幕表示設定部１１４（字幕表示設定手段の一部に相当する）は、操作部１４を介して、１のテレビジョン放送に対応する字幕を表示するか否かを設定するものである。字幕表示設定部１１４は、例えば、操作部１４によってメニュー画面を表示する旨の操作入力が受け付けられた場合に、字幕を表示するか否かを設定するための設定画面をディスプレイ１８３に表示し、操作部１４を介して受け付けられた操作入力に基づいて、字幕を表示するか否かを設定するものである。
【００４５】
位置変更部１１５（位置変更手段に相当する）は、字幕表示設定部１１４によって字幕を表示しない旨の設定がされている場合に、子画面の表示領域である第２領域の中心位置を、字幕位置取得部１１２によって取得された字幕の表示領域である第３領域の中心位置と一致させるべく第２領域の位置を変更し、変更後の第２領域の位置を規定する子画面座標情報を生成するものである。
【００４６】
また、位置変更部１１５は、字幕数判定部１１３によって取得された字幕座標情報が複数であると判定された場合に、取得された複数の字幕座標情報の内、字幕領域の面積が最大である字幕座標情報を選定し、選定された字幕座標情報に対応する字幕領域の中心位置と一致させるべく子画面の表示領域である第２領域の位置を変更し、変更後の第２領域の位置を規定する子画面座標情報を生成するものである。
【００４７】
図３は、位置変更部１１５による第２領域の位置を変更する方法の一例を示す画面図である。（ａ）は、第２領域の位置を変更する前の画面２００の画面図であり、（ｂ）は、第２領域の位置を変更した後の画面２１０の画面図である。（ａ）に示すように、画面２００には、画面全体に親画面２０１が表示され、画面右下部に子画面２０２が表示され、画面左上部に、字幕２０３が表示されている。親画面２０１は、第１受信部１５Ａによって受信された１のテレビジョン放送に対応する映像である第１映像を表示する画面である。子画面２０２は、第２受信部１５Ｂによって受信された他のテレビジョン放送に対応する映像である第２映像を表示する画面である。字幕２０３は、親画面２０１に対応する（＝第１受信部１５Ａによって受信された１のテレビジョン放送に対応する）字幕を表示するものである。ここでは、親画面２０１に表示される映像の主要部（ここでは、鳥の映像）の右下部が、子画面２０２の左上部と重なって遮られている。
【００４８】
また、（ａ）に示すように、画面２００の左上端を基準（＝原点）として、右向きにＸ座標をとり、下向きにＹ座標をとり、親画面２０１の左上端（＝原点）の座標を（Ｘｍｉｎ、Ｙｍｉｎ）、親画面２０１の右下端の座標を（Ｘｍａｘ、Ｙｍａｘ）とする。また、子画面２０２の左上端の座標を（Ｘｓｌ、Ｙｓｔ）、子画面２０２の右下端の座標を（Ｘｓｒ、Ｙｓｂ）とする。そして、字幕２０３の左上端の座標を（Ｘｃｌ、Ｙｃｔ）、字幕２０３の右下端の座標を（Ｘｃｒ、Ｙｃｂ）とする。
【００４９】
（ａ）に示す画面２００における子画面２０２の中心位置の座標（Ｘｓｃ，Ｙｓｃ）及び字幕２０３の中心位置の座標（Ｘｃｃ，Ｙｃｃ）は、次の（１）〜（４）式で求められる。
Ｘｓｃ＝（Ｘｓｌ＋Ｘｓｒ）／２      （１）
Ｙｓｃ＝（Ｙｓｔ＋Ｙｓｂ）／２      （２）
Ｘｃｃ＝（Ｘｃｌ＋Ｘｃｒ）／２      （３）
Ｙｃｃ＝（Ｙｃｔ＋Ｙｃｂ）／２      （４）
【００５０】
（ｂ）に示すように、画面２１０には、画面全体に親画面２１１が表示され、画面左上部に子画面２１２が表示されている。子画面２１２は、位置変更部１１５によって、（ａ）に示す子画面２０２の表示領域である第２領域の中心位置が、字幕２０３の表示領域である第３領域の中心位置と一致させるべく位置が変更されたものである。具体的には、子画面２１２の左上端の座標を（Ｘｓｌ１、Ｙｓｔ１）、子画面２１２の右下端の座標を（Ｘｓｒ１、Ｙｓｂ１）とすると、各座標は次の（５）〜（８）式で求められる。
Ｘｓｌ１＝Ｘｓｌ＋ＤＸ１      （５）
Ｙｓｔ１＝Ｙｓｔ＋ＤＹ１      （６）
Ｘｓｒ１＝Ｘｓｒ＋ＤＸ１      （７）
Ｙｓｂ１＝Ｙｓｂ＋ＤＹ１      （８）
ここで、Ｘ軸方向の位置変更量ＤＸ１、Ｙ軸方向の位置変更量ＤＹ１は、次の（９）、（１０）式で求められる。
ＤＸ１＝Ｘｃｃ−Ｘｓｃ      （９）
ＤＹ１＝Ｙｃｃ−Ｙｓｃ      （１０）
このようにして、変更後の第２領域の位置を規定する子画面座標情報（Ｘｓｌ１、Ｙｓｔ１）、（Ｘｓｒ１、Ｙｓｂ１）が生成される。
【００５１】
（ｂ）に示すように、画面２１０には、（ａ）に示す子画面２０２の表示領域である第２領域の中心位置が、字幕２０３の表示領域である第３領域の中心位置と一致させるべく位置が変更された子画面２１２が表示されるため、親画面２１１に表示される映像の主要部（ここでは、鳥の映像）が、子画面２１２に遮られることがない。
【００５２】
図４は、位置変更部１１５による第２領域の位置を変更する方法の他の一例を示す画面図である。（ａ）は、第２領域の位置を変更する前の画面２２０の画面図であり、（ｂ）は、第２領域の位置を変更した後の画面２３０の画面図である。（ａ）に示すように、画面２２０には、画面全体に親画面２２１が表示され、画面左上部に子画面２２２が表示され、画面左下部に、字幕２２３が表示されている。ここでは、親画面２２１に表示される映像の主要部（ここでは、鳥の映像）の左端部が、子画面２２２の右端部と重なって遮られている。
【００５３】
（ｂ）に示すように、画面２３０には、画面全体に親画面２３１が表示され、画面左下部に子画面２３２が表示されている。画面２３０には、（ａ）に示す子画面２２２の表示領域である第２領域の中心位置が、字幕２２３の表示領域である第３領域の中心位置と一致させるべく位置が変更された子画面２３２が表示されるため、親画面２３１に表示される映像の主要部（ここでは、鳥の映像）が、子画面２３２に遮られることがない。
【００５４】
図５は、字幕座標情報が複数（ここでは、２個）である場合に、位置変更部１１５による第２領域の位置を変更する方法の一例を示す画面図である。（ａ）は、第２領域の位置を変更する前の画面２４０の画面図であり、（ｂ）は、第２領域の位置を変更した後の画面２５０の画面図である。（ａ）に示すように、画面２４０には、画面全体に親画面２４１が表示され、画面左部に子画面２４２が表示され、画面左上部及び画面下部に、字幕２４３及び字幕２４４が表示されている。ここでは、親画面２４１に表示される映像の主要部（ここでは、鳥の映像）の左端部が、子画面２４２の右端部と重なって遮られている。
【００５５】
（ｂ）に示すように、画面２５０には、画面全体に親画面２５１が表示され、画面下部に子画面２５２が表示されている。画面２５０には、（ａ）に示す子画面２５２の表示領域である第２領域の中心位置が、字幕２４３及び字幕２４４の内、字幕領域の面積が最大である字幕２４４の表示領域の中心位置と一致させるべく位置が変更された子画面２４２が表示されるため、親画面２５１に表示される映像の主要部（ここでは、鳥の映像）が、子画面２５２に遮られることがなく、且つ、子画面２４２が適正な位置（＝映像の主要部が子画面２５２に遮られる可能性が少ない位置）に表示される。
【００５６】
ここでは、位置変更部１１５が、取得された複数の字幕座標情報の内、字幕領域の面積が最大である字幕座標情報を選定し、選定された字幕座標情報に対応する字幕領域の中心位置と一致させるべく子画面の表示領域である第２領域の位置を変更する場合について説明するが、位置変更部１１５が、変更前の第２領域の中心位置と字幕座標情報に対応する字幕領域の中心位置との距離が最小の字幕座標情報を選定し、選定された字幕座標情報に対応する字幕領域の中心位置と一致させるべく第２領域の位置を変更する形態（以下、他の変更方法という）でもよい。
【００５７】
図６は、字幕座標情報が複数（ここでは、２個）である場合に、位置変更部１１５による第２領域の位置を変更する他の方法の一例を示す画面図である。（ａ）は、第２領域の位置を変更する前の画面２６０の画面図であり、（ｂ）は、第２領域の位置を変更した後の画面２７０の画面図である。（ａ）に示すように、画面２６０には、画面全体に親画面２６１が表示され、画面左部に子画面２６２が表示され、画面左上部及び画面下部に、字幕２６３及び字幕２６４が表示されている。ここでは、親画面２６１に表示される映像の主要部（ここでは、鳥の映像）の左端部が、子画面２６２の右端部と重なって遮られている。
【００５８】
（ｂ）に示すように、画面２７０には、画面全体に親画面２７１が表示され、画面左上部に子画面２７２が表示されている。画面２７０には、（ａ）に示す子画面２６２の表示領域である第２領域の中心位置が、字幕２６３及び字幕２６４の内、変更前の第２領域の中心位置と字幕領域の中心位置との距離が最小である字幕２６３の表示領域の中心位置と一致させるべく位置が変更された子画面２７２が表示されるため、親画面２７１に表示される映像の主要部（ここでは、鳥の映像）が、子画面２７２に遮られることがなく、且つ、子画面２７２が適正な位置（＝子画面２７２の移動量の小さい位置）に表示される。
【００５９】
再び図２に戻って、ＭＰＵ１１の機能構成について説明する。位置判定部１１６（位置判定手段に相当する）は、位置変更部１１５によって生成された子画面座標情報に対応する変更後の第２領域が第１領域内に表示されるか否かを判定するものである。
【００６０】
位置修正部１１７（位置修正手段に相当する）は、位置判定部１１６によって第１領域内に表示されないと判定された場合に、変更後の第２領域を第１領域内に表示するべく変更後の第２領域の子画面座標情報を修正し、修正後の子画面座標情報を生成するものである。
【００６１】
図７、図８は、位置判定部１１６の判定方法及び位置修正部１１７の修正方法を説明する画面図である。図７（ａ）は、第２領域の位置を変更する前の画面３００の画面図であり、図７（ｂ）は、第２領域の位置を変更した後の画面３１０の画面図である。図７（ａ）に示すように、画面３００には、画面全体に親画面３０１が表示され、画面右部に子画面３０２が表示され、画面左下部に、字幕３０３が表示されている。図７（ａ）に示すように、図３と同様に、画面３００の左上端を基準（＝原点）として、右向きにＸ座標をとり、下向きにＹ座標をとり、親画面３０１の左上端（＝原点）の座標を（Ｘｍｉｎ、Ｙｍｉｎ）、親画面３０１の右下端の座標を（Ｘｍａｘ、Ｙｍａｘ）とする。また、子画面３０２の左上端の座標を（Ｘｓｌ、Ｙｓｔ）、子画面３０２の右下端の座標を（Ｘｓｒ、Ｙｓｂ）とする。そして、字幕３０３の左上端の座標を（Ｘｃｌ、Ｙｃｔ）、字幕３０３の右下端の座標を（Ｘｃｒ、Ｙｃｂ）とする。
【００６２】
図７（ｂ）に示すように、画面３１０には、画面全体に親画面３１１が表示され、画面左下部に子画面３１２が表示されている。子画面３１２は、位置変更部１１５によって、（ａ）に示す子画面３０２の表示領域である第２領域の中心位置が、字幕３０３の表示領域である第３領域の中心位置と一致させるべく位置が変更されたものである。具体的には、子画面３１２の左上端の座標を（Ｘｓｌ１、Ｙｓｔ１）、子画面３１２の右下端の座標を（Ｘｓｒ１、Ｙｓｂ１）とすると、各座標は上述の（５）〜（８）式で求められる。
【００６３】
また、位置判定部１１６は、次の（１１）式を満たすか否かに基づいて、変更後の第２領域が第１領域内に表示されるか否かを判定するものである。
（（Ｘｓｌ１  ＜  Ｘｍｉｎ）  ＯＲ  （Ｘｓｒ１  ＞  Ｘｍａｘ）  ＯＲ  （Ｙｓｔ１  ＜  Ｙｍｉｎ）  ＯＲ  （Ｙｓｂ１  ＞  Ｙｍａｘ））      （１１）
すなわち、位置判定部１１６は、（１１）式を満たす場合に、変更後の第２領域が第１領域内に表示されないと判定し、（１１）式を満たさない場合に、変更後の第２領域が第１領域内に表示されると判定するものである。なお、図７（ｂ）の画面３１０では、子画面３１２の右下端のＹ座標Ｙｓｂ１が親画面３１１の右下端のＹ座標Ｙｍａｘより大きく、（１１）式を満たすため、位置判定部１１６によって変更後の第２領域が第１領域内に表示されないと判定される。
【００６４】
図８は、図７（ｂ）に示す変更後の第２領域を第１領域内に表示するべく修正された画面３２０の画面図である。画面３２０には、画面全体に親画面３２１が表示され、画面左下部に子画面３２２が表示されている。子画面３２２は、位置修正部１１７によって、図７（ｂ）に示す子画面３１２の表示領域が親画面３１１の表示領域内に表示するべく表示位置が修正されたものである。具体的には、子画面３２２の左上端の座標を（Ｘｓｌ２、Ｙｓｔ２）、子画面３１２の右下端の座標を（Ｘｓｒ２、Ｙｓｂ２）とすると、各座標は上述の（１２）〜（１５）式で求められる。
Ｘｓｌ２＝Ｘｓｌ１＋ＤＸ２      （１２）
Ｙｓｔ２＝Ｙｓｔ１＋ＤＹ２      （１３）
Ｘｓｒ２＝Ｘｓｒ１＋ＤＸ２      （１４）
Ｙｓｂ２＝Ｙｓｂ１＋ＤＹ２      （１５）
【００６５】
ここで、Ｘ軸方向の位置修正量ＤＸ２、Ｙ軸方向の位置修正量ＤＹ２は、それぞれ、次の（１６）〜（１８）式、及び、（１９）〜（２１）式で求められる。
ＤＸ２＝Ｘｍｉｎ−Ｘｓｌ１（Ｘｓｌ１＜Ｘｍｉｎの場合）      （１６）
ＤＸ２＝Ｘｍａｘ−Ｘｓｒ１（Ｘｓｒ１＞Ｘｍｉｎの場合）      （１７）
ＤＸ２＝０（上記以外の場合）      （１８）
ＤＹ２＝Ｙｍｉｎ−Ｙｓｔ１（Ｙｓｔ１＜Ｙｍｉｎの場合）      （１９）
ＤＹ２＝Ｙｍａｘ−Ｙｓｂ１（Ｙｓｂ１＞Ｙｍａｘの場合）      （２０）
ＤＹ２＝０（上記以外の場合）      （２１）
【００６６】
なお、図７（ｂ）の画面３１０では、子画面３１２の右下端のＹ座標Ｙｓｂ１が親画面３１１の右下端のＹ座標Ｙｍａｘより大きいため、位置修正部１１７によって修正後の座標は（１８）式及び（２０）式を用いて求められる。図８に示すように、子画面３２２は、位置修正部１１７によって、その表示領域が親画面３２１の表示領域内に表示するべく修正されている。
【００６７】
図９は、デジタル放送受信機１（主にＭＰＵ１１）の動作の一例を示すフローチャートである。ここでは、便宜上、予め字幕位置取得部１１２によって字幕座標情報が取得され、字幕表示設定部１１４によって字幕を表示するか否かが設定されている場合について説明する。まず、位置変更部１１５によって、字幕を表示する旨の設定がされているか否かの判定が行われる（Ｓ１０１）。字幕を表示する旨の設定がされていると判定された場合（Ｓ１０１でＹＥＳ）には、処理が終了される。字幕を表示しない旨の設定がされていると判定された場合（Ｓ１０１でＮＯ）には、字幕数判定部１１３によって、字幕位置取得部１１２により取得された字幕座標情報が複数であるか否かが判定される（Ｓ１０３）。
【００６８】
字幕座標情報が複数ではない（＝１個である）と判定された場合（Ｓ１０３でＮＯ）には、位置変更部１１５によって、子画面の表示領域である第２領域の中心位置を、字幕位置取得部１１２によって取得された字幕の表示領域である第３領域の中心位置と一致させるべく第２領域の位置が変更され、変更後の第２領域の位置を規定する子画面座標情報が生成され（Ｓ１０９）、処理がステップＳ１１１に進められる。字幕座標情報が複数であると判定された場合（Ｓ１０３でＹＥＳ）には、位置変更部１１５によって、字幕位置取得部１１２によって取得された複数の字幕座標情報の内、字幕領域の面積が最大である字幕座標情報が選定される（Ｓ１０５）。そして、位置変更部１１５によって、ステップＳ１０５において選定された字幕座標情報に対応する字幕領域の中心位置と一致させるべく子画面の表示領域である第２領域の位置が変更され、変更後の第２領域の位置を規定する子画面座標情報が生成される（Ｓ１０７）。
【００６９】
ステップＳ１０７又はステップＳ１０９の処理が終了した場合には、位置判定部１１６によって、ステップＳ１０７又はステップＳ１０９において生成された子画面座標情報に対応する変更後の第２領域が第１領域内に表示されるか否かが判定される（Ｓ１１１）。変更後の第２領域が第１領域内に表示されると判定された場合（Ｓ１１１でＹＥＳ）には、処理がステップＳ１１５に進められる。変更後の第２領域が第１領域内に表示されないと判定された場合（Ｓ１１１でＮＯ）には、位置修正部１１７によって、変更後の第２領域を第１領域内に表示するべく変更後の第２領域の子画面座標情報が修正され、修正後の子画面座標情報が生成される（Ｓ１１３）。
【００７０】
ステップＳ１１３が終了した場合、又は、ステップＳ１１１でＹＥＳの場合には画像合成部１９によって、親画面と子画面とが合成され合成画像が生成される（Ｓ１１５）。そして、映像表示部１１１によって、ステップＳ１１５で生成された合成画像がディスプレイ１８３に表示され（Ｓ１１７）、処理が終了される。
【００７１】
このようにして、受信された１のテレビジョン放送に対応する映像である第１映像が親画面としてディスプレイ１８３の予め設定された第１領域に表示されると共に、受信された他のテレビジョン放送に対応する映像である第２映像が子画面としてディスプレイ１８３の第１領域内に予め設定された第２領域に表示される。また、第１領域内に予め設定され、１のテレビジョン放送に対応する字幕を表示する領域である第３領域の位置及び大きさを規定する字幕座標情報が取得され、１のテレビジョン放送に対応する字幕を表示するか否かが設定される。そして、字幕を表示しない旨の設定がされている場合に、第２領域の中心位置を、第３領域の中心位置と略一致させるべく第２領域の位置が変更され、変更後の第２領域の位置を規定する子画面座標情報が生成される。更に、生成された子画面座標情報に基づいて、第２映像がディスプレイ１８３に表示されるため、親画面に表示される映像の主要部を遮ることなく子画面を表示することができる。
【００７２】
すなわち、子画面の表示領域である第２領域の位置が字幕を表示する領域である第３領域の中心位置と一致させるべく変更されるため、字幕の表示位置（＝親画面内における第３領域の位置）は親画面に表示される映像の主要部を遮ることのない位置に設定される（図３、図４参照）ので、親画面に表示される映像の主要部を遮ることなく子画面を表示することができるのである。
【００７３】
また、取得された字幕座標情報が複数であるか否かが判定され、取得された字幕座標情報が複数であると判定された場合に、取得された複数の字幕座標情報の内、字幕領域の面積が最大である字幕座標情報が選定される。そして、選定された字幕座標情報に対応する字幕領域の中心位置と一致させるべく第２領域の位置が変更され、変更後の第２領域の位置を規定する子画面座標情報が生成されるため、取得された字幕座標情報が複数である場合に、適正な位置に子画面を表示することができる。
【００７４】
すなわち、字幕領域の面積が最大である字幕座標情報に対応する字幕領域の中心位置と略一致させるべく子画面の表示領域である第２領域の位置が変更される（図５参照）ため、取得された字幕座標情報が複数である場合に、適正な位置に子画面を表示することができるのである。
【００７５】
更に、生成された子画面座標情報に対応する変更後の第２領域が第１領域内に表示されるか否かが判定され、第１領域内に表示されないと判定された場合に、変更後の第２領域を第１領域内に表示するべく変更後の第２領域の子画面座標情報が修正され、修正後の子画面座標情報が生成される。そして、生成された修正後の子画面座標情報に基づいて、第２映像がディスプレイ１８３に表示されるため、更に適正な位置に子画面を表示することができる。
【００７６】
すなわち、変更後の第２領域が第１領域内に表示されないと判定された場合に、変更後の第２領域を第１領域内に表示するべく変更後の第２領域の子画面座標情報が修正されて修正後の子画面座標情報が生成され、生成された修正後の子画面座標情報に基づいて、第２映像がディスプレイ１８３に表示されるため、子画面の表示領域である第２領域が第１領域内に表示するべく修正される（図７、図８参照）ので、更に適正な位置に子画面を表示することができるのである。
【００７７】
なお、本発明は、以下の形態にも適用可能である。
（Ａ）本実施形態では、放送受信装置がデジタル放送受信機１である場合について説明したが、放送受信装置がアナログ放送を受信する放送受信機である形態でもよいし、アナログ放送及びデジタル放送を受信する放送受信機である形態でもよい。
【００７８】
（Ｂ）本実施形態では、モニタがデジタル放送受信機１に配設されたディスプレイ１８３である場合について説明したが、モニタがデジタル放送受信機１とは別の装置として構成されている形態でもよい。例えば、モニタがパーソナルコンピュータ等に配設されたモニタである形態でもよい。
【００７９】
（Ｃ）本実施形態では、位置変更部１１５が第２領域の中心位置を第３領域の中心位置と一致させるべく第２領域の位置を変更する場合について説明したが、位置変更部１１５が第２領域の中心位置を第３領域の中心位置と略一致させるべく第２領域の位置を変更する形態であればよい。
【００８０】
例えば、位置変更部１１５が、移動量（＝（ＤＸ１2＋ＤＹ１2）1/2）が予め設定された閾値以下の範囲内で、第２領域の中心位置を第３領域の中心位置と略一致させるべく第２領域の位置を変更する形態でもよい。この場合には、移動量が予め設定された閾値以下に制限されるため、画面の視認性（＝見易さ）を向上することができる。
【００８１】
（Ｄ）本実施形態では、位置修正部１１７が、変更後の第２領域を構成する１の周辺を、第１領域を構成する１の周辺と一致させるべく第２領域の位置を修正する場合について説明したが、位置修正部１１７が、変更後の第２領域を第１領域内に表示するべく第２領域の位置を修正する形態であればよい。
【００８２】
例えば、位置修正部１１７が、変更後の第２領域を構成する１の周辺を、第１領域の内側に予め設定された所定の領域（例えば、第１領域の１０ｍｍ内側の領域）を構成する１の周辺と一致させるべく第２領域の位置を修正する形態でもよい。この場合には、画面の視認性（＝見易さ）を向上することができる。
【図面の簡単な説明】
【００８３】
【図１】は、本発明に係るデジタル放送受信機の構成の一例を示すブロック図である。
【図２】は、図１に示すデジタル放送受信機における主要部の構成の一例を示すブロック図である。
【図３】は、位置変更部による第２領域の位置を変更する方法の一例を示す画面図である。
【図４】は、位置変更部による第２領域の位置を変更する方法の他の一例を示す画面図である。
【図５】は、字幕座標情報が複数である場合に、位置変更部による第２領域の位置を変更する方法の一例を示す画面図である。
【図６】は、字幕座標情報が複数である場合に、位置変更部による第２領域の位置を変更する他の方法の一例を示す画面図である。
【図７】は、位置判定部の判定方法及び位置修正部の修正方法を説明する画面図である。
【図８】は、図７（ｂ）に示す変更後の第２領域を第１領域内に表示するべく修正された画面の画面図である。
【図９】は、デジタル放送受信機（主にＭＰＵ）の動作の一例を示すフローチャートである。
【符号の説明】
【００８４】
１    デジタル放送受信機（放送受信装置）
１１    ＭＰＵ
１１１    映像表示部（映像表示手段の一部）
１１２    字幕位置取得部（字幕位置取得手段）
１１３    字幕数判定部（字幕数判定手段）
１１４    字幕表示設定部（字幕表示設定手段の一部）
１１５    位置変更部（位置変更手段）
１１６    位置判定部（位置判定手段）
１１７    位置修正部（位置修正手段）
１４    操作部（字幕表示設定手段の一部）
１５    受信部
１５Ａ    第１受信部（第１受信手段）
１５Ｂ    第２受信部（第２受信手段）
１８    画像出力部
１８３    ディスプレイ（モニタ）
１９    画像合成部（映像表示手段の一部）
【図１】
2008193277.tif 000003
【図２】
2008193277.tif 000004
【図３】
2008193277.tif 000005
【図４】
2008193277.tif 000006
【図５】
2008193277.tif 000007
【図６】
2008193277.tif 000008
【図７】
2008193277.tif 000009
【図８】
2008193277.tif 000010
【図９】
2008193277.tif 000011